(57)【要約】【課題】  ゲッタの位置決めを安定化させることによって表示特性の劣化を抑制する。【解決手段】  複数の電子放出源が形成された背面基板２の背面には真空容器に連通するゲッタルーム１２を有するルーム部材１１が封着部材１８を介して気密接合されて配置され、ゲッタルーム１２内にはゲッタ組立体１３が配置され、このゲッタ組立体１３は、ゲッタ１５と、このゲッタ１５を保持するゲッタハウジング１４と、このゲッタハウジング１４を支持するゲッタサポート１６ａ，１６ｂと、ゲッタ１５の配置位置を設定する位置決め棒１７とを有し、ルーム部材１１の内側には位置決め棒１７の先端部を挿入する位置決め溝１１ａを有し、この位置決め溝１１ａ内に位置決め棒１７の先端部が挿入されてゲッタ組立体１３が支持されている。【選択図】  図５
2006196194.tif 000002
【特許請求の範囲】
【請求項１】
電子放出源が形成された背面基板と、陽極及び蛍光体が形成された前面基板とを対向配置した真空容器を有する画像表示装置であって、
前記背面基板の背面には前記真空容器に連通するゲッタルームを有し、前記ゲッタルームはルーム部材で構成され、前記ゲッタルーム内にはゲッタ組立体が配置され、前記ゲッタ組立体は、ゲッタと、前記ゲッタを保持するゲッタハウジングと、前記ゲッタハウジングを支持するゲッタサポートと、前記ゲッタの配置位置を設定する位置決め棒とを有し、前記ルーム部材は前記位置決め棒の先端部を挿入する位置決め溝を有し、前記位置決め棒の先端部が前記位置決め溝内に挿入されていることを特徴とする画像表示装置。
【請求項２】
前記背面基板は、貫通孔を有し、前記ゲッタルームは当該貫通孔を介して連通されていることを特徴とする請求項１に記載の画像表示装置。
【請求項３】
前記ルーム部材は、面板と枠体とを封着部材により固着させて形成され、前記位置決め溝は前記面板と前記枠体との封着面に形成されていることを特徴とする請求項１または請求項２に記載の画像表示装置。
【請求項４】
前記ゲッタ組立体は、前記位置決め棒を複数有し、前記ルーム部材は前記位置決め棒に対応する前記位置決め溝を複数有することを特徴とする請求項１乃至請求項３の何れかに記載の画像表示装置。
【請求項５】
前記ルーム部材の底面部に排気孔を設け、当該排気孔に排気管が連結されていることを特徴とする請求項１乃至請求項４の何れかに記載の画像表示装置。
【請求項６】
前記貫通孔の近傍に前記ゲッタの飛散を遮蔽する遮蔽板を設けたことを特徴とする請求項１乃至請求項５の何れかに記載の画像表示装置。
【発明の詳細な説明】
【技術分野】
【０００１】
本発明は、画像表示装置に係わり、特にゲッタ装置を備えた画像表示装置に関し、詳細にはゲッタ装置内に配設されたゲッタの配置構造に好適なものである。
【背景技術】
【０００２】
電子を蛍光面に衝突させて発光させて表示する表示装置は、例えば、電界放出型電子源を備えた電界放出型表示装置(Field Emission Display)や表面伝導型電子源を備えた表面伝導型表示装置に代表される薄型CRT(Thin Cathode Ray Tube)やブラウン管などがある。この種の表示装置は、容器の内部を高真空度に保持し、電子の移動を容易にすることが必要である。
【０００３】
従来の画像表示装置は、背面基板上の電子源の形成された面と同一面上にゲッタが配置されていた。電子源と同一面上にゲッタを設けると、表示領域部の面積を小さく形成するか、またはゲッタを設ける部分のみ領域を大きく形成しなければならない。さらに、ゲッタを活性環境（電子源を設けた空間）内に配置すると、電子源の電子放出部がゲッタ膜により被覆され、電子放出能力が減少する。
【０００４】
下記特許文献１には、ゲッタルームをディスプレイ装置の表示面側に結合して設けることにより、上述した課題を対策する構成が開示されている。また、下記特許文献２には、ゲッタルームをディスプレイ装置の背面側に結合して設けることにより、上述した課題を解決する構成が開示されている。
【特許文献１】特開２００３−５２８４２２号公報
【特許文献２】特開平９−１２９１６１号公報
【発明の開示】
【発明が解決しようとする課題】
【０００５】
上記特許文献１には、補助チャンバー（ゲッタルーム）にゲッタ装置を配置することにより、電子放出部がゲッタに曝されない構造の表示装置が開示されている。しかしながら、このような構成による画像表示装置は、ゲッタの位置決めに起因する課題については全く考慮されていない。また、特許文献２には、ゲッタを支持具の弾性力を利用して固定する構造が開示されている。しかしながら、特許文献２も特許文献１と同様にゲッタの位置決め機構については開示されていない。
【０００６】
通常、パネル組立工程にはフリットを溶解させる工程がある。このとき、ゲッタサポートが変形してハウジングがルーム部材に接触することがある。その後、ゲッタを高周波加熱装置を用いて加熱する。このとき、ハウジングがルーム部材に接触していると、ルーム部材にクラックが生じることがある。また、ゲッタの配置位置が変わると、ゲッタの加熱状態が変動し、ゲッタ材が十分に飛散されなくなる。この結果、ゲッタ膜の性能が劣化し、残留ガスの吸着が不十分となる。また、ゲッタバリウムが貫通孔を通して電子放出部に侵入されることにより、表示パネル内部でのスパーク及びエミッション劣化を引き起こすなど課題があった。
【課題を解決するための手段】
【０００７】
本発明による画像表示装置は、複数の電子放出源が形成された背面基板と、この背面基板の電子放出源形成面と対向する内面に陽極及び蛍光体が形成された前面基板とが所定の間隔を有して対向配置され、背面基板と前面基板との間が気密封止されて形成された真空容器を有する。背面基板の背面には真空容器に連通するゲッタルームを有する。ゲッタルームを構成するルーム部材は封着部材を介して気密接合されて配置され、ゲッタルーム内にはゲッタ組立体が配置され、このゲッタ組立体は、ゲッタと、このゲッタを保持するゲッタハウジングと、このゲッタハウジングを支持するゲッタサポートと、ゲッタの配置位置を設定する位置決め棒とを有し、ルーム部材の内側には位置決め棒の先端部を挿入する位置決め溝を有し、この位置決め溝内に位置決め棒の先端部が挿入されることにより、ゲッタの位置決めが安定化される。
【０００８】
したがって、本発明は、ゲッタの位置決めを安定化させることによって表示特性の劣化を抑制した画像表示装置を提供できる。
【０００９】
また、本発明による他の画像表示装置は、好ましくは、上記構成において、ゲッタルームは背面基板に貫通孔を設け、この貫通孔を介して連通されることにより、真空容器内と同等の真空度に維持される。
【００１０】
また、本発明による他の画像表示装置は、好ましくは、上記構成において、ルーム部材は面板と枠体とを封着部材により固着させて形成され、位置決め溝は面板と枠体との封着面に形成されることにより、ゲッタの位置決めが安定化されるので、背景技術の課題を解決することができる。
【００１１】
また、本発明による他の画像表示装置は、好ましくは、上記構成において、ゲッタ組立体は位置決め棒を複数有し、ルーム部材は位置決め棒に対応する位置決め溝を複数有することにより、ゲッタの位置決めが安定化されるので、背景技術の課題を解決することができる。
【００１２】
また、本発明による他の画像表示装置は、好ましくは、上記構成において、ルーム部材の底面部に排気孔を設け、当該排気孔に排気管が連結されることにより、ゲッタルームからの排気が可能となるので、背景技術の課題を解決することができる。
【００１３】
また、本発明による他の画像表示装置は、好ましくは、上記構成において、貫通孔の近傍にゲッタの飛散を遮蔽する遮蔽板を設けることにより、ゲッタ材の真空容器内への飛散を防止できるので、背景技術の課題を解決することができる。
【００１４】
なお、本発明は、上記各構成及び後述する実施の形態に記載される構成に限定されるものではなく、本発明の技術思想を逸脱することなく、種々の変更が可能であることは言うまでもない。
【発明の効果】
【００１５】
本発明によれば、ゲッタが確実に位置決めされ、その飛散量が安定化されることにより、ゲッタルームの亀裂を確実に防止でき、真空度が改善され、表示特性の劣化が抑制できるので、寿命及び画質性能が向上し、品質及び信頼性の高い画像表示装置が実現可能となるという極めて優れた効果が得られる。
【発明を実施するための最良の形態】
【００１６】
以下、本発明の具体的な実施の形態について、実施例の図面を参照して詳細に説明する。
【実施例１】
【００１７】
図１は、本発明による画像表示装置の実施例１による電子放出型表示装置の概略構成を説明する要部平面図であり、図２は図１の要部拡大断面図である。図１及び図２において、参照符号１は、透光性ガラス板材からなる前面基板、２は前面基板１と同様に透光性ガラスまたはアルミナなどのセラミックス板材からなる背面基板である。これらの前面基板１及び背面基板２は板厚が例えば約３ｍｍ程度の絶縁性の基板である。
【００１８】
また、３はガラスまたはフリットガラス板材などの成形体を切断し、枠状に組み立てて接着固定させて形成された外枠を兼ねた支持体としての支持枠である。この支持枠３は、前面基板１と背面基板２との間の周縁部にフリットガラスなどからなる封着部材４により接着固定されて設置され、前面基板１と背面基板２との間の間隔を所定寸法、例えば約３ｍｍ程度に保持させている。
【００１９】
また、図２に示す参照符号５は、間隔保持部材としての板状のスペーサである。このスペーサ５は、例えば約０．１ｍｍ程度以下の薄いガラス板またはアルミナ等のセラミックス板材を約３ｍｍ程度の幅（高さ寸法）に切断して形成される。スペーサ５は図１に示すように前面基板１と背面基板２とで挟まれて形成された表示領域ＡＲ内に基板面にほぼ垂直で一方向（ｘ方向）に延在し、他方向（ｙ方向）に複数枚並設して図示しないフリットガラスなどの固定部材により固定配置され、支持枠３と協働して前面基板１と背面基板２との間の間隔を所定の寸法に保持させている。
【００２０】
また、６は電子放出素子群である。この電子放出素子群６は、陰極配線と、電子源と、制御電極などとから構成され、背面基板２上に所定の間隔で多数個配置されている。この陰極配線は、背面基板２の内側表面に複数本が一方向（ｘ方向）に延在し、他方向（ｙ方向）に並設されている。この陰極配線の端部は、陰極配線引き出し線６１として背面基板２の二辺に分けられて気密封着部の外側に引き出されている。
【００２１】
この陰極配線は、例えば蒸着法などにより形成するか、または例えば粒径１〜５μｍ程度の導電性銀粒子に絶縁性を発現する低融点ガラスを混合した銀ペーストを厚膜印刷し、例えば約６００℃の温度で焼成して形成することなどにより設けられている。
【００２２】
また、制御電極は、陰極配線の上方に陰極配線と電気的に絶縁されて配置され、この制御電極の端部は、制御電極引き出し線６２として背面基板２の他の一辺で気密封着部の外側に引き出されている。
【００２３】
さらに、背面基板２上に所定の間隔で配置された電子放出素子群６は、メタル−インシュレータ−メタル（ＭＩＭ）型の電子放出素子、量子論的トンネル効果による電子放出現象を利用する電子放出構造（表面伝導型電子源とも称される）素子、ダイアモンド膜やグラファイト膜またはカーボンナノチューブなどから形成されている。
【００２４】
また、参照符号７は、画像形成部材である。この画像形成部材７は、蛍光体膜と、この蛍光体膜上に被着されたメタルバック膜と、ブラックマトリクス（ＢＭ）膜などとから形成され、前面基板１の内面に形成された画像形成部材７は背面基板２上の電子放出素子群６と対向して配置される構造となっている。
【００２５】
また、参照符号１０は、背面基板２の背面（外面）側の周縁部の一部分に設置されたゲッタ装置である。背面基板１と前面基板２と封止枠３とで構成される真空容器は背面基板２の表示領域ＡＲから外れる部分にエッチング法またはサンドブラスト法などにより形成された貫通孔２ｈを有する。ゲッタ装置１０は、この貫通孔２ｈに連通させて気密封着されて配置されている。したがって、このゲッタ装置１０の内部は上記真空容器の内部とほぼ同等の真空度を有している。なお、このゲッタ装置１０は、大型の表示装置パネルの場合には複数個設置される構造となる。本実施例では２個設置した場合について図示したが、何れも構造が同一であるので、１つのゲッタ装置について説明する。
【００２６】
このゲッタ装置１０は、カップ状に形成されたルーム部材１１の内部に真空容器と同等の所定の真空度に保持されたゲッタルーム１２が形成される。このゲッタルーム１２の内部には、背面基板２の背面とルーム部材１１との対向間にゲッタ組立体１３が挟持されて配置されている。
【００２７】
図３は、ゲッタ組立体１３を示す上方から見た拡大平面図であり、図４は図３のI−I
線に沿って切断した拡大断面図である。図３及び図４に示すようにこのゲッタ組立体１３は、一端が開放されて二重筒状に形成されたゲッタハウジング１４内に円環状に成型されたゲッタ１５が収納されて固定され、このゲッタハウジング１４を３個所で保持するゲッタサポート１６ａ，１６ｂ，１６ｃによりそれぞれ支持され、さらにこのゲッタハウジング１４の背面にはゲッタ位置決め棒１７が例えばスポット溶接法により固定させて構成されている。
【００２８】
なお、これらのゲッタサポート１６ａ，１６ｂ，１６ｃは、その一端側（背面基板２の背面側）が曲面状のスプリング部１６ｓで形成され、さらに、これらのゲッタサポート１６ａ，１６ｂ，１６ｃの他端側（ルーム部材１１の底面側）にも同様な曲面状のスプリング部１６ｓ２で形成されている。
【００２９】
このように構成されたゲッタ組立体１３は、背面基板２の背面とルーム部材１１の底面との間にゲッタサポート１６ａ，１６ｂ，１６ｃの両端部に形成されている各一対のスプリング部１６ｓ，１６ｓ２の弾性力により接触されて挟持される。背面基板２の背面とルーム部材１１の開口端とは例えばフリットガラスに代表される封着部材１８を介して気密封着される。これによって背面基板２及びルーム部材１１のクラックの発生を抑制することができる。
【００３０】
ルーム部材１１は内壁面の一部に位置決め溝１１ａを例えばエッチング法または研削法などにより形成してある。また、このように構成されたゲッタ組立体１３は、図５に要部拡大断面図で示すようにこの位置決め溝１１ａ内にゲッタ組立体１３の位置決め棒１７の先端部を挿入することにより、ゲッタ組立体１３が位置決めされ、ゲッタ１５の取り付け位置が確定される。
【００３１】
したがって、ゲッタ組立体１３は、ゲッタサポート１６ａ，１６ｂ，１６ｃの各一対のスプリング部１６ｓ，１６ｓ２の弾性特性によりパネル厚さ方向の位置が確定され、位置決め棒１７により面方向の位置が確定される。これによってゲッタルーム１２内へのゲッタ装置１０の取り付け固定が容易となるので、画像表示装置の製造が極めて容易となる。
【００３２】
また、このように構成されたゲッタ組立体１３は、ゲッタハウジング１４の開口端を背面基板２の背面と対向させて配置される。ゲッタフラッシュ後に形成されるゲッタ膜１９は背面基板２の背面の膜厚がルーム部材１１の内面の膜厚より厚い。
【００３３】
このように構成された画像表示装置は、背面基板２上に形成された電子源から放射された電子が数ＫＶ〜１０数ＫＶの陽極電圧の印加されたメタルバック層（陽極）を通過して蛍光体層に射突して蛍光体を発光させ、映視像面に所望の表示を行う構成となっている。そして、陰極配線と制御電極とで囲まれた領域に単位画素が形成され、マトリクス配列された画素で表示領域ＡＲが形成される。一般的には単位画素の三個のグループで赤（Ｒ），緑（Ｇ），青（Ｂ）からなるカラー画素が形成される。
【００３４】
なお、前述した実施例において、ルーム部材１１の形状をカップ状とした場合について説明したが、本発明は、この形状に限定されるものではなく、碗状または皿状などの各種の形状で形成しても良いことは言うまでもない。
【実施例２】
【００３５】
図６は、本発明による画像表示装置の実施例２によるゲッタ装置の要部拡大断面図、図７は図６の枠体の側面から見た平面図、図８は図６のゲッタルーム内の上面の平面図であり、前述した図と同一部分には同一符号を付し、その説明は省略する。
【００３６】
図６において、図５と異なる点は、貫通孔２ｈが形成された背面基板２の背面には、ガラス板材を矩形状に形成した枠体２０と、ガラス板材からなる面板２１とがフリットガラスなどからなる封着部材１８により固着されてゲッタルーム部材１１が構成されている。また、この枠体２０の面板２１との封着面には凹状の位置決め溝２０ａが一体的に形成されており、この位置決め溝２０ａにはゲッタルーム部材１１内に挟持されたゲッタ組立体１３の位置決め棒１７の先端部が挿入される。この位置決め棒１７の先端部は位置決め溝２０ａ内においてフリットガラスなどからなる封着部材１８により固着されてゲッタ装置１０Ａが構成されている。
【００３７】
ゲッタ組立体１３がその位置決め棒１７の先端部で封着部材１８により支持固定されるので、外部振動によるゲッタ組立体１３に移動または変移を抑制することができる。また、ゲッタ組立体１３を固定させる封着部材溶着工程と、ゲッタルーム１２を形成する封着部材溶着工程とを同時に行うことができるので、画像表示装置の製造工程を簡略化することができる。また位置決め棒１７の先端部が位置決め溝２０ａ内に収納されて固定される構造となるので、位置決め棒１７の先端部がゲッタルーム１２の外部に食み出ることがない。これによってゲッタルーム１２内の真空度の低下を抑制することができる。
【００３８】
ゲッタ組立体１３は、ゲッタサポート１６ａ，１６ｂ，１６ｃの各一対のスプリング部１６ｓ，１６ｓ２の弾性特性により面板２１と背面基板２の背面との間に挟持され、一個の位置決め溝２０ａのみで支持固定されるので、ゲッタ１５の過熱時の各種構成部材の変形及び変移などを確実に防止することができる。
【００３９】
図９は、本発明に係わるゲッタ装置の他の実施例によるゲッタルーム内の上面の平面図であり、前述した図と同一部分には同一符号を付し、その説明は省略する。図９において、ゲッタ組立体１３には、ゲッタハウジングの背面に対称に一対の位置決め棒１７ａ，１７ｂが一体的に設けられている。また、この一対の位置決め棒１７ａ，１７ｂの先端部が挿入する枠体２０の所定位置にはそれぞれ位置決め溝２０ａ，２０ｂが設けられている。
【００４０】
このような構成においては、ゲッタ組立体１３が枠体２０に安定して位置決めされて支持固定されるので、ゲッタ１５の位置決めがより確実となり、ゲッタ膜１９が貫通孔２ｈ内に侵入しない位置にゲッタ組立体１３を固定配置することができる。
【００４１】
図１０は、本発明に係わるゲッタ装置のさらに他の実施例によるゲッタルーム内の上面の平面図であり、前述した図と同一部分には同一符号を付し、その説明は省略する。図１０において、背面基板２に穿設された貫通孔２ｈの近傍にはゲッタ組立体１３内のゲッタから飛散されるゲッタ材の真空容器内への侵入を遮蔽するガラス板材からなる遮蔽板２２が背面基板２の背面に封着部材により固着させて固定配置されている。
【００４２】
また、このような構成において、背面基板２に穿設された貫通孔２ｈとゲッタ組立体１３との間に遮蔽板２２を配設したことにより、ゲッタ膜１９が貫通孔２ｈに掛からない。ゲッタルーム１２の形状を四角形状とすることにより、貫通孔２ｈの対角位置にゲッタ組立体１３を取り付けることができるので、ゲッタ組立体１３と貫通孔２ｈとの間の距離を大きく取ることができる。これによって飛散するゲッタ材の真空容器（パネル内部）への侵入が遮蔽されるので、パネル内部でのスパーク及びエミッション劣化を引き起こし難くなる。
【実施例３】
【００４３】
図１１は、本発明による画像表示装置の実施例３による電子放出型表示装置のゲッタ装置の構成を示す要部拡大断面図であり、上述した実施例１と同一部分には同一符号を付し、その説明は省略する。図１１において、ゲッタ装置１０Ｂは、ルーム部材１１の底面部１１ａ、つまり面板２１は貫通孔１１ｂが穿設され、この貫通孔１１ｂにはゲッタルーム１２及び真空容器内を所定の真空度に排気させる排気管２３が気密接合されて連結されている。
【００４４】
このように構成されたゲッタ装置１０Ｂは、上述と同様の効果に加えて排気管２３を介して真空容器内をゲッタルーム１２を通して排気し、チップオフすることができるので、背面基板２に穿設する貫通孔２ｈの設置数量を最小限とすることができる。また、リークによる真空度劣化のポテンシャルを低減させることができる。
【００４５】
なお、前述した各実施例において、ゲッタ装置１０，１０Ａ，１０Ｂを構成するルーム部材１１は、ガラスなどの絶縁性部材により形成され、ゲッタ１５を収納するゲッタハウジング１４及びこのゲッタハウジング１４を支持する一対のゲッタサポート１５ａ，１６ｂ，１６ｃ及びゲッタ位置決め棒１７，１７ａ，１７ｂ等は、例えばステンレス鋼板（ＳＵＳ３０４）のプレス成形体により形成されている。また、ゲッタ１５はＢａ蒸発型ゲッタが用いられ、さらに非蒸発型ゲッタと組み合わせて用いても良い。
【００４６】
図１２は、本発明に係わる画像表示装置を構成するゲッタ装置の製作方法を一例を説明する工程のフローチャートである。図１２に示すように、まず、最初にステップＳＰ１において、ルーム部材１１の開口端面に封着部材１８を塗布する。次にステップＳＰ２において、このルーム部材１１と、ゲッタ組立体１３とを背面基板２の背面上に位置合わせした後、所定の位置に配置する。次にステップＳＰ３において、封着部材１８を約３８０℃に加熱し、各部材を封着部材１８により溶着した後、さらに約４５０℃まで加熱して固化させる。次にステップＳＰ４において、真空容器内のガスを排気し、封止する。次にステップＳＰ５において、ゲッタ１５を高周波加熱装置を用いて所定温度で加熱して飛散させ（ゲッタフラッシュ）、ゲッタ膜１９を形成する。
【００４７】
画像表示装置は、真空容器内を排気した後に封止される。封止された直後の真空容器内の真空度は約１０-3〜１０-4Ｐａである。その後にゲッタフラッシュ及びエージングを行うことにより、約１０-5〜１０-6まで真空度を向上させることができる。ゲッタフラッシュ工程では、封止後、真空容器の外部から高周波を印加させることによりゲッタ１５を加熱し、ゲッタ１５を蒸発させてゲッタルーム１２の内壁にゲッタ膜１９を形成する。背面基板２に穿設された貫通孔２ｈからゲッタルーム１２内に侵入したガスはゲッタルーム１２内のゲッタ膜１９に吸着される。このようにして画像表示に障害のない程度まで真空容器内のガスを低減する。
【実施例４】
【００４８】
図１３は、本発明による画像表示装置の実施例４による電子放出型表示装置のゲッタ装置の構成を示す要部拡大断面図、図１４はゲッタ装置内部の要部平面図であり、上述した実施例と同一部分には同一符号を付し、その説明は省略する。図１３及び図１４において、ゲッタ組立体１３Ａは一端が開放されて二重筒状に形成されたゲッタハウジング１４内に円環状に成型されたゲッタ１５が収納されて固定され、このゲッタハウジング１４の背面には棒状のゲッタサポート２４を例えばスポット溶接法により固定させて構成されている。
【００４９】
このように構成されたゲッタ組立体１３Ａは、ゲッタサポート２４の両端側のフランジ部２４ａ，２４ｂが図１４に示すように枠体２０の封着面に形成されている各位置決め溝２０ａ，２０ｂ内に挿入されている。また、フランジ部２４ａ，２４ｂは枠体２０と面板２１との封着面間に封着部材１８により固着される。ゲッタ組立体１３Ａは、背面基板２に穿設された貫通孔２ｈから距離Ｌ１で離間させた位置に支持固定されて配置されている。つまり、ゲッタ組立体１３Ａと貫通孔２ｈとがゲッタルーム１２内で対角配置されている。
【００５０】
図１５は、ゲッタ組立体１３Ａの取り付け高さについて説明する図１３のＢ部の拡大断面図である。ゲッタ１５と面板２１の内面との間の距離（間隔）Ｈ１は、ゲッタハウジング１４の加熱時に面板２１にゲッタハウジング１４が接触しない距離とする。すなわち、その間隔Ｈ１は約０・５ｍｍ以上とする。また、ゲッタ１５のフラッシュ面側については、ゲッタ１５と背面基板２の背面との間の距離をゲッタ材が飛散できる距離とする。すなわち、ゲッタ１５の加熱後にゲッタ材が飛散できる間隔Ｈ２は約１ｍｍ以上とする。
【実施例５】
【００５１】
図１６は、本発明による画像表示装置の実施例５による電子放出型表示装置のゲッタ装置の構成を示す要部拡大断面図、図１７はゲッタ装置内部の要部平面図であり、上述した実施例と同一部分には同一符号を付し、その説明は省略する。図１６及び図１７において、背面基板２に穿設された貫通孔２ｈの近傍にはこの貫通孔２ｈの周辺部をほぼ全面的に囲うようにガラス板材からなる遮蔽板２２Ａが配置されている。遮蔽板２２Ａは背面基板２の背面に固定されている。なお、この遮蔽板２２Ａの高さは、枠体２０の高さ寸法よりも低くして形成されている。
【００５２】
背面基板２に穿設された貫通孔２ｈをほぼ全面的に囲うように遮蔽板２２Ａを配設したことにより、貫通孔２ｈの対角位置にゲッタ組立体１３Ａを取り付けることができるとともに、ゲッタ組立体１３Ａと貫通孔２ｈとの間の距離をさらに大きく取ることができる。これによって飛散するゲッタ材の真空容器（パネル内部）への侵入がほぼ確実に遮蔽されるので、パネル内部でのスパーク及びエミッション劣化をさらに引き起こし難くなる。
【００５３】
図１８は、本発明に係わる画像表示装置を構成する背面基板の内面側から見た要部平面図である。図１８において、ガラスまたはセラミックス材などを好適とする背面基板２の前面（主面）には、第１の方向（ｙ方向）に延在して第１の方向と交差する第２の方向（ｘ方向）に並設された複数のデータ線（または陰極ラインとも称する）ＤＬと、第２の方向（ｘ方向）に延在して第２の方向と交差する第１の方向（ｙ方向）に並設された複数の走査線ＳＬとを有している。マトリクス状に配置されたこれらのデータ線ＤＬ及び走査線ＳＬの交差部または交差部近傍には電子放出源が形成されている。
【００５４】
走査線ＳＬは、その一端が走査ドライバＳＤに接続されている。一方、データ線ＤＬはその一端がデータドライバＤＤに接続されている。前面基板は、図中、破線部分に沿って対向配置される。前面基板と背面基板２とはその対向領域の外周に沿って接着され、内部ガスを排気して封止される。一方、背面基板２の背面には貫通孔２ｈに連通して前述した各ゲッタ装置が配設されている。
【００５５】
図１９は、本発明に係わる画像表示装置を構成する前面基板の内面側から見た要部平面図である。図１９において、透光性ガラス材からなる前面基板１の内面には、図１８に示す複数のデータ線ＤＬの長さ方向に沿って赤色蛍光体層ＰＨＲ，緑色蛍光体層ＰＨＧ及び青色蛍光体層ＰＨＢを有する蛍光面ＰＨが形成され、さらにこの蛍光面ＰＨには各赤色蛍光体層ＰＨＲ，緑色蛍光体層ＰＨＧ及び青色蛍光体層ＰＨＢを区画するブラックマトリクス膜ＢＭが形成されている。
【００５６】
図２０は、前面基板１の内面に形成された蛍光面ＰＨの拡大断面図である。図２０において、蛍光面ＰＨを構成する各赤色蛍光体層ＰＨＲ，緑色蛍光体層ＰＨＧ及び青色蛍光体層ＰＨＢはブラックマトリクス膜ＢＭの一部を覆って形成されている。また、この蛍光面ＰＨ上には各赤色蛍光体層ＰＨＲ，緑色蛍光体層ＰＨＧ及び青色蛍光体層ＰＨＢの発光光を効率的に反射させるメタルバック膜ＭＴが形成されている。
【００５７】
また、前述した実施例においては、表示装置として内面に蛍光体及びブラックマトリクスを有し、蛍光体及びブラックマトリクスの背面に陽極を有する前面基板を用いたＦＥＤに適用した場合について説明したが、本発明は、これに限定されるものではなく、プラズマディスプレイ（ＰＤＰ）やメタル−インシュレータ−メタル型電子放出源を有するパネル型ディスプレイに適用しても前述と全く同様の効果が得られることは勿論である。
【図面の簡単な説明】
【００５８】
【図１】本発明による画像表示装置の実施例１による構成を示す模式平面図である。
【図２】図１の画像表示装置の構成を示す要部拡大断面図である。
【図３】図２のゲッタ装置の構成を示す拡大断面図である。
【図４】図２のゲッタ組立体の構成を示す要部拡大斜視図である。
【図５】図２のゲッタ組立体の背面基板への取り付け構造を説明する要部拡大断面図である。
【図６】本発明による画像表示装置の実施例２によるゲッタ装置の構成を示す拡大断面図である。
【図７】図６の枠体の側面から見た平面図である。
【図８】図６のゲッタルーム内の上面の平面図である。
【図９】ゲッタ装置の他の実施例による構成を示すゲッタルーム内の上面の平面図である。
【図１０】ゲッタ装置のさらに他の実施例による構成を示すゲッタルーム内の上面の平面図である。
【図１１】本発明による画像表示装置の実施例３によるゲッタ装置の構成を示す拡大断面図である。
【図１２】本発明による画像表示装置の製造工程を示すフローチャートである。
【図１３】本発明による画像表示装置の実施例４によるゲッタ装置の構成を示す拡大断面図である。
【図１４】図１３のゲッタ装置内部の要部平面図である。
【図１５】図１３の図１３のＢ部の拡大断面図である。
【図１６】本発明による画像表示装置の実施例５によるゲッタ装置の構成を示す拡大断面図である。
【図１７】図１６のゲッタ装置内部の要部平面図である。
【図１８】本発明による画像表示装置の背面基板の構成を示す要部平面図である。
【図１９】本発明による表示装置の前面基板の構成を示す要部平面図である。
【図２０】本発明による表示装置の前面基板に形成される蛍光面の構成を示す要部拡大断面図である。
【符号の説明】
【００５９】
１・・・前面基板、２・・・背面基板、２ｈ・・・貫通孔、３・・・支持枠（支持体）、４・・・封着部材、５・・・スペーサ、６・・・電子放出素子群、６１・・・陰極配線引き出し線、６２・・・制御電極引き出し線、７・・・画像形成部材、１０・・・ゲッタ装置、１０Ａ・・・ゲッタ装置、１０Ｂ・・・ゲッタ装置、１１・・・ルーム部材、１１ａ・・・底面部、１１ｂ・・・貫通孔、１２・・・ゲッタルーム、１３・・・ゲッタ組立体、１３Ａ・・・ゲッタ組立体、１４・・・ゲッタハウジング、１５・・・ゲッタ、１６ａ・・・ゲッタサポート、１６ｂ・・・ゲッタサポート、１６ｃ・・・ゲッタサポート、１７・・・ゲッタ位置決め棒、１７ａ・・・ゲッタ位置決め棒、１７ｃ・・・ゲッタ位置決め棒、１８・・・封着部材、１９・・・ゲッタ膜、２０・・・枠体、２０ａ・・・位置決め溝、２０ｂ・・・位置決め溝、２１・・・面板、２２・・・遮蔽板、２２Ａ・・・遮蔽板、２３・・・排気管、２４・・・ゲッタサポート、２４ａ・・・フランジ部、２４ｂ・・・フランジ部、ＰＨＲ・・・赤色蛍光体層、ＰＨＧ・・・緑色蛍光体層、ＰＨＢ・・・青色蛍光体層、ＰＨ・・・蛍光面、ＢＭ・・・ブラックマトリクス膜、ＭＴ・・・メタルバック膜、ＳＬ・・・走査線、ＤＬ・・・データ線、ＳＤ・・・走査ドライバ、ＤＤ・・・データドライバ。
【図１】
2006196194.tif 000003
【図２】
2006196194.tif 000004
【図３】
2006196194.tif 000005
【図４】
2006196194.tif 000006
【図５】
2006196194.tif 000007
【図６】
2006196194.tif 000008
【図７】
2006196194.tif 000009
【図８】
2006196194.tif 000010
【図９】
2006196194.tif 000011
【図１０】
2006196194.tif 000012
【図１１】
2006196194.tif 000013
【図１２】
2006196194.tif 000014
【図１３】
2006196194.tif 000015
【図１４】
2006196194.tif 000016
【図１５】
2006196194.tif 000017
【図１６】
2006196194.tif 000018
【図１７】
2006196194.tif 000019
【図１８】
2006196194.tif 000020
【図１９】
2006196194.tif 000021
【図２０】
2006196194.tif 000022